(57)【特許請求の範囲】
【請求項１】
複数のタッチエリアを有し、各エリアがタッチされたとき、それぞれに対応するタッチデータを出力させるためのタッチパネルと、ハードスイッチとを備える入力手段と、
前記入力手段が備える前記タッチパネルのあるタッチエリアがタッチされたことにより出力されたタッチデータを制御命令に変換する変換手段と、
前記変換手段により変換された制御命令を所定期間保持する保持手段と、
前記保持手段により制御命令が保持されている期間中、前記タッチ入力手段からタッチデータが出力された場合、前記保持手段により保持されていた制御命令と前記変換手段により変換された制御命令とを同時に成立させる命令成立手段と、
前記命令成立手段が成立させた制御命令と、前記ハードスイッチがオンされている間出力される信号とから１つの指令を作成する指令作成手段と、
を具備したことを特徴とする調節計増減装置。
【請求項２】
請求項１記載の調節計増減装置において、
前記指令作成手段により作成された指令に基づいて調節計の増減値を演算する演算手段と、
前記演算手段より演算された増減値に応じて調節計の値を表示する表示手段と
を具備したことを特徴とする調節計増減装置。
【発明の詳細な説明】
【０００１】
【産業上の利用分野】
本発明は、例えば原子力プラントなどを操作するための調節計増減装置に関する。
【０００２】
【従来の技術】
従来から、原子力プラントなどにおいて、プロセス量などの出力を調整する調節計を操作する上では調節計増減装置が用いられているが、近年、この調節計増減装置もユーザインターフェイス、つまりスイッチなどが機械式からタッチパネル形式に変更されつつあり、操作形態の改善が急務になっている。
【０００３】
ここで、図７を参照して従来の調節計増減装置について説明する。
【０００４】
図７において、従来の調節計増減装置は、コントロールパネル７０と制御装置８０とから構成されている。コントロールパネル７０上には、調節計７１と、この調節計７１を増減させるためのハードスイッチ（増スイッチ７２、減スイッチ７３および高速スイッチ７４など）とが配置されている。このコントロールパネル７０の各スイッチ７２、７３、７４には、制御装置８０の制御演算部８１が接続されている。この制御演算部８１は増スイッチ７２、減スイッチ７３、高速スイッチ７４から送信される増指令Ｇ、減指令Ｈ、高速指令Ｉに基づいて調節計７１の値を設定するものである。また制御装置８０には出力処理部８２が設けられている。この出力処理部８２は制御演算部８１で設定された値を調節計７１に表示するための処理を行うものである。
【０００５】
この調節計増減装置において、調節計７１の増減レート（増減ピッチ）として通常レートと高速レートの 2種類がある。
【０００６】
例えば増減レートの選択は、増スイッチ７２のみ使用した場合に通常レートが選択され、増スイッチ７２と高速スイッチ７４とを一緒に使用した場合に高速レートが選択され、再度、増スイッチ７２のみを使用すれば、通常レートが選択されるといったように容易に選択が行える仕組みになっている。
【０００７】
例えば調節計７１を通常レートで増加させる場合、ユーザは増スイッチ７２のみを押す。
【０００８】
すると、この増スイッチ７２が押されている間だけ増スイッチ７２より増指令Ｇが制御演算部８１に送信される。制御演算部８１ではこの増指令Ｇが送信されてきている間、調節計の値を通常レートで増加させる。
【０００９】
また高速レートで調節計を増加させる場合、ユーザは増スイッチ７２と高速スイッチ７４とを同時に押す。
【００１０】
すると、それぞれのスイッチ７２、７４が押されている間だけ増指令Ｇと高速指令Ｉとが制御演算部８１へ送信される。制御演算部８１では増指令Ｇと高速指令Ｉとが送信されてきている間、調節計７１の値を高速レートで増加させる。
【００１１】
さらに、調節計７１の値を減少させる場合は、増スイッチ７２を減スイッチ７３に、増指令Ｇを減指令Ｈに置き換えることによって実現できる。
【００１２】
すなわち、調節計７１の値は増スイッチ７２、減スイッチ７３、高速スイッチ７４から送信される増指令Ｇ、減指令Ｈ、高速指令Ｉに基づいて制御演算部８１において設定される。
【００１３】
そして制御演算部８１で設定された値Ｊは出力処理部８２に送信され、この出力処理部８２において調節計７１に表示するための処理が行われる。この表示処理結果、つまり調節計の値Ｋはコントロールパネル７０に送信され、その調節計７１において値Ｋが表示される。
【００１４】
一方、近年では、上述した増／減／高速などのハードスイッチに替えて増／減／高速の指令をタッチパネルを用いて入力することが実施されつつある。
【００１５】
この場合、タッチパネル上には増／減／高速の三つのタッチエリアが設定され、それぞれのエリアをタッチすることにより、対応する増指令、減指令、高速指令が出力される。
【００１６】
このタッチパネルにて、従来と同じ操作で調節計７１の値を増減する場合、通常レートと高速レートとがあるため、特に高速レートなどで調節計７１の値を増加させるには、ユーザは高速と増との二箇所のタッチエリアを同時に押することになる。
【００１７】
しかしながら、この種のタッチパネルの場合、ユーザは複数のタッチエリアを正確に同時には押せないため、タッチパネルへの操作が必ず時間的にずれることになり連続タッチが発生する。
【００１８】
この連続タッチでは、増をタッチした後に高速をタッチすることになるが、この場合、制御装置８０には、最後にタッチしたタッチエリアの指令しか出力されないという制約があるため、増タッチをした段階で増指令が出力され、その後、高速がタッチされると、増指令の出力が取り消されて高速指令が出力されることになり、結局、一つの指令しか出力されなくなる。
【００１９】
【発明が解決しようとする課題】
このように、上述した従来の調節計増減装置では、タッチパネルの仕組みと、制御装置上の制約とから高速と増の指令を同時に出力させることは不可能であり、増または高速のうち、いずれか一方しか出力できず、高速レートでの増減指令の操作が行えないという問題があった。
【００２０】
またタッチパネルの制約に反するが、仮に二箇所のタッチエリアの指令が出力できるとした場合、増タッチのみを行えば通常レートによる調節計の値の増加を行え、この増タッチに加えて高速タッチをさらに行えば高速レートで調節計の値を増加させられる。しかし、この高速レートでの調節後、再度通常レートで増加させるには、高速のタッチを解除して増タッチのみを成立させなければならない。  一般にタッチパネルの動作は、タッチされたエリアに対応する指令を出力することであり、タッチされたエリアの指令を取り消すことは不可能である。
【００２１】
したがって、高速レートから再度通常レートの増を行うためには、ユーザはタッチデータを全てクリアした後、増エリアをタッチして通常レートの増を行うといった、従来と異なる操作を行わなければならない。
【００２２】
さらに、タッチパネルを利用した場合、タッチされたタッチエリアの指令を任意の時間だけ出力させることはできない。例えば増をタッチした場合は増指令が出力される。しかし、この増指令は増以外のタッチが行われるまで出力され続けるため、この指令をそのまま用いた場合、調節計の値を任意の値に設定することは困難である。
【００２３】
本発明はこのような課題を解決するためになされたもので、タッチパネルを利用する上で、従来のハードスイッチの操作性を大きく変えることなく、複数の指令を複合して調節計の値を増減することのできる調節計増減装置を提供することを目的としている。
【００２４】
【課題を解決するための手段】
上記した目的を達成するために、請求項１記載の調節計増減装置は、複数のタッチエリアを有し、各エリアがタッチされたとき、それぞれに対応するタッチデータを出力させるためのタッチパネルと、ハードスイッチとを備える入力手段と、前記入力手段が備える前記タッチパネルのあるタッチエリアがタッチされたことにより出力されたタッチデータを制御命令に変換する変換手段と、前記変換手段により変換された制御命令を所定期間保持する保持手段と、前記保持手段により制御命令が保持されている期間中、前記タッチ入力手段からタッチデータが出力された場合、前記保持手段により保持されていた制御命令と前記変換手段により変換された制御命令とを同時に成立させる命令成立手段と、前記命令成立手段が成立させた制御命令と、前記ハードスイッチがオンされている間出力される信号とから１つの指令を作成する指令作成手段と、を具備している。
【００２６】
請求項２記載の調節計増減装置は、請求項１記載の調節計増減装置において、前記指令作成手段により作成された指令に基づいて調節計の増減値を演算する演算手段と、前記演算手段より演算された増減値に応じて調節計の値を表示する表示手段とを具備している。
【００２７】
【作用】
請求項１記載の発明では、タッチ入力手段から出力されたタッチデータを変換して制御命令とし、それを保持手段に所定期間保持しておき、その間に変換された制御命令と保持されている制御命令との二つ命令を成立させる。
【００２８】
したがって、従来のハードスイッチで行われていた同時押しと同じ制御ができるようになり、従来の場合と比較して操作性を大きく変えることなく、調節計の値を増減することができる。
【００３１】
さらに、請求項１記載の発明では、タッチパネルとハードスイッチとを併用したことによって、タッチパネルをタッチして作成した指令をハードスイッチを押して実行させることができる。
【００３２】
したがって、誤操作なく安全に調節計の値を増減することができる。
【００３３】
また、請求項２記載の発明では、作成された指令に基づいて調節計の増減値が演算され、その演算結果の増減値に応じて調節計の値が表示手段により表示される。したがって、ユーザは表示手段の値を見ながら、タッチパネルとハードスイッチとを併用して調節計の値を容易に増減できる。
【００３４】
以上により、従来のハードスイッチのみで行っていたスイッチ操作を大きく変えることなくタッチパネルを利用した調節計の増減ができるようになる。
【００３５】
【実施例】
以下、本発明の実施例を図面を参照して詳細に説明する。
【００３６】
図１は本発明に係る一実施例の調節計増減装置の構成を示す図である。
【００３７】
同図において、１０はコントロールパネルである。このコントロールパネル１０上には、制御状態を表示する表示画面１１と、この表示画面１１上に配設されたタッチパネル１２と、ハードスイッチ１３とが設置されている。表示画面１１には、増／減／高速などの複数の操作画像、調節計の目盛り１１ａ、調節値のバー１１ｂなどが表示されている。それぞれの操作画像（増／減／高速など）に対応するタッチパネル１２の位置には所定幅のタッチエリア１２ａ、１２ｂ、１２ｃが設けられている。
【００３８】
２０は制御装置であり、コントロールパネル１０を制御する。この制御装置２０は入力処理部３０、制御演算部２１および出力処理部２２などから構成されている。入力処理部３０はタッチデータ処理部３１、命令処理部３２および複数のアンド回路３３、３４、３５などからなる。制御演算部２１は命令処理部３２から指令を受信し、調節計の値の増減演算を行うものである。出力処理部２２は調節計の増減結果を表示画面１１上に表示するためのデータを作成するものである。タッチデータ処理部３１はタッチパネル１２から出力された信号Ａを命令に変換処理するものである。命令処理部３２はタッチデータ処理部３１で処理された命令を受信し、その命令の種類を判定し、増／減などの方向決定および通常／高速などのレート決定などを行うものである。各アンド回路３３、３４、３５には、命令処理部３２が決定した方向およびレートに応じて出力される指令信号とハードスイッチ１３からの信号とが入力される。したがって、各ＡＮＤ（アンド）回路３３、３４、３５からは増指令または減指令が単独で出力されるだけでなく、増指令と高速指令の組み合わせや、減指令と高速指令との組み合わせなど、二つの指令が同時に出力される場合がある。
【００３９】
図２に示すように、上記入力処理部３０の命令処理部３２は、増タッチ４０ａ、減タッチ４０ｂ、高速タッチ４０ｃおよびその他のタッチ４０ｄなどに区分された制御命令格納場所を有するメモリ４０と、このメモリ４０の各制御命令格納場所から出力される信号によって各命令を成立または不成立にさせる成立条件部４１および不成立条件部４２と、各条件成立または不成立の結果をホールドする増ホールド回路４３、減ホールド回路４４および高速ホールド回路４５と、高速解除回路４６などから構成されている。
【００４０】
高速解除回路４６はＡＮＤ（アンド）回路およびＮＡＮＤ（ナンド）回路などから構成されており、高速タッチ出力（高速指令）が入力中、再び高速指令が入力されたときに高速指令が出力されなくなる、いわゆる高速条件を解除するためのものである。成立条件部４１および不成立条件部４２と各ホールド回路４３、４４、４５とは指令を任意の時間だけ成立または不成立させるものである。
【００４１】
この調節計増減装置の場合、操作員（ユーザ）によりタッチパネル１２が操作されたときの指令は、表示画面１１を確認しながらタッチパネル１２内のタッチエリア１２ａ、１２ｂ、１２ｃおよびハードスイッチ１３を通して制御装置２０に伝えられる。タッチパネル１２からのタッチデータは制御装置２０内の入力処理部３０のタッチデータ処理部９へ入力される。タッチデータ処理部９では、入力されたタッチデータを基にどのエリアがタッチされたのかを認識し制御命令を選択し命令処理部３２へ送信する。命令処理部３２では、制御命令に基づいて制御演算部２１へ送信する指令を作成する。
【００４２】
以下、図３を参照して命令処理部３２の指令作成処理について説明する。
【００４３】
命令処理部３２では、タッチデータ処理部３１より制御命令を受信すると（ステップ301 ）、まず、受信した制御命令の種類、例えば制御命令が増／減／高速あるいはそれ以外の命令であるかなどが識別される（ステップ302 ）。
【００４４】
ここで、制御命令がメモリ４０の増タッチ領域４０ａに格納され、そこから出力された命令（増タッチ命令）であり、かつ以前に「増」が選択されていない状態でこの増タッチ命令が入力された場合、命令処理部３２は増方向の選択処理を行い（ステップ303 ）、減方向の選択を解除する（ステップ304 ）。そして命令処理部３２は増選択指令Ｃを成立させ増減方向を増方向に決定する（ステップ305 ）。
【００４５】
また増選択処理が行われた後に、制御命令が減タッチ領域４０ｂから入力されると（ステップ306 ）、命令処理部３２は減選択処理を行い（ステップ307 ）、減選択指令Ｄを成立させる。なおステップ307 の減選択処理においては、前回の増選択指令Ｃを不成立、つまり解除にする。
【００４６】
さらに増選択指令Ｃのみが成立している状態で、入力された制御命令の種類が、高速タッチ領域４０ｃから入力された高速命令であった場合（ステップ302 ）、命令処理部３２は、現在、高速選択指令Ｅが成立しているか否かを判定する（ステップ308 ）。
【００４７】
ここで、上述したようなスイッチ選択の経過であった場合、以前に高速選択指令Ｅは成立していないので（ステップ308 のNo）、命令処理部３２は、高速選択処理を行い（ステップ309 ）、高速選択指令Ｅを成立させ、レートを高速に決定する（ステップ310 ）。このとき、増選択指令Ｃは成立させたままにしておく。これにより増選択指令Ｃと高速選択指令Ｅの二つの選択指令が成立し、成立した選択指令はアンド回路３３、３４、３５へ出力される。
【００４８】
この選択指令成立後、ユーザがハードスイッチ１３の操作を行う（スイッチ１３をＯＮする）ことにより（ステップ311 ）、実行指令Ｆがアンド回路３３、３４、３５へ出力され、アンド回路３３、３４、３５により実行指令Ｆと増選択指令Ｃ、減選択指令Ｄ、高速選択指令Ｅとの論理積（アンド）がとられ、命令が実行される（ステップ312 ）。
【００４９】
またステップ308 において、以前に高速選択指令Ｅが成立していた場合は（ステップ308 のYes ）、高速解除回路４６により高速選択が解除され（ステップ313 ）、レートが通常レートに決定される。
【００５０】
さらにステップ302 において、制御命令が増／減／高速以外のその他の命令であった場合は、現在成立している全ての指令（増選択指令Ｃ、減選択指令Ｄ、高速選択指令Ｅなど）が解除される（不成立になる）（ステップ314 ）。これにより調節計の増減が行われないようになる。
【００５１】
一方、各アンド回路３３、３４、３５で論理積をとった結果はそれぞれ増指令Ｇ、減指令Ｈ、高速指令Ｉとなり制御演算部２１へ入力される。増選択指令Ｃのみが成立している場合は増指令Ｇのみを制御演算部２１へ出力し、通常レートで調節計の値を増加させる。
【００５２】
また増選択指令Ｃと高速選択指令Ｅとが成立している場合は、増指令Ｇと高速指令Ｉを制御演算部２１へ出力し、高速レートで調節計の値を増加させる。
【００５３】
ここで増指令Ｇ、減指令Ｈ、高速指令Ｉはいずれも実行指令Ｆと各選択指令との論理積であるので、各選択指令の成立状態に変化がない場合に増指令Ｇ、減指令Ｈ、高速指令Ｉの成立時間は実行指令Ｆが成立している時間である。このため実行指令Ｆはハードスイッチ１３を押している間だけ成立し、ハードスイッチ１３によって増指令Ｇ、減指令Ｈ、高速指令Ｉの制御演算部２１に入力する時間を調節することができる。制御演算部２１は、増減を行った調節計の値Ｊを出力処理部２２へ送信する。出力処理部２２では表示画面１１に調節計の値を表示するためのデータ処理を行い表示データを作成する。出力処理部２２は処理された表示データＫをコントロールパネル１上の表示画面３に送信する。表示画面１１では、受信した表示データＫに基づき調節計の目盛り１１ａに対してバー１１ｂが変更表示される。
【００５４】
次に、初めにタッチ入力された制御命令が「高速」であった場合について説明する。
【００５５】
初めに各タッチエリアが選択されていない状態で、高速が表示されたタッチエリア１２ｃがタッチされ、タッチパネル１２から命令処理部３２に高速制御命令が出力されると、ステップ308 において、命令処理部３２は高速選択指令Ｅが成立しているか否かを判定する。この場合、高速選択指令Ｅは成立していないので、ステップ309 において、命令処理部３２は高速選択処理を行い、高速選択指令Ｅを成立させる。
【００５６】
この高速選択指令Ｅが成立しているときに、増制御命令が入力されると、ステップ303 において、命令処理部３２は増選択処理を行い、増選択指令Ｃを成立させる。このとき高速選択指令Ｅは成立させたままにしておく。この方法によっても、増選択指令Ｃと高速選択指令Ｅの二つの命令が成立する。
【００５７】
このように二つの命令、例えば増と高速などを成立させる場合、タッチする順序に関係なく増タッチした後に高速をタッチしても、また高速をタッチした後に増をタッチしても、増選択指令Ｃと高速選択指令Ｅとを同時に成立させることができる。
【００５８】
次に、一度選択処理した高速選択指令Ｅを取り消す場合について説明する。
【００５９】
例えば既に高速のタッチエリア１２ｃがタッチされて、高速選択指令Ｅが成立している状態であるとする。
【００６０】
この状態でさらに高速のタッチエリア１２ｃがタッチされると、ステップ308 において、命令処理部３２は高速選択指令が成立しているか否かを判定する。このとき、既に高速選択指令Ｅは成立しているので、ステップ313 において、命令処理部３２は高速選択解除処理を行い、高速選択指令Ｅを不成立にする。これにより増減レートが高速レートから通常レートに変更される。
【００６１】
続いて、他の例として、初めに増選択指令Ｃと高速選択指令Ｅとが成立している場合について説明する。
【００６２】
この場合、高速のタッチエリア１２ｃがタッチされて、命令処理部３２に制御命令として高速制御命令が入力されると、ステップ308 において、命令処理部３２は高速選択指令Ｅが成立しているか否かを判定する。このとき高速選択指令Ｅは成立しているので、ステップ313 に進み命令処理部３２は高速選択解除処理を行い、高速選択指令Ｅを不成立にする。このときも増選択指令Ｃは成立させたままにしておく。これにより増選択指令Ｃだけが成立しているので、高速レートによる増から、通常レートによる増へとレート変更を行うことができる。このときも増選択指令Ｃと高速選択指令Ｅの成立順序には関係なく、高速→増の順序で二つの命令を成立させた後に高速をタッチしても高速選択指令Ｅを不成立とすることは可能であり、また増→高速の順序で二つの命令を成立させた後に、高速をタッチすることにより高速選択指令Ｅを不成立とすることができる。
【００６３】
以下、図４〜図６を参照して制御命令が入力されたときの各指令成立タイミングについて説明する。
【００６４】
タッチパネル１２より入力されたタッチデータは、タッチデータ処理部３１に転送される。タッチデータ処理部３１ではタッチパネル１２より入力された命令が何の命令かを判断し、命令処理部３２へ送信する。このときタッチデータ処理部３１から命令処理部３２への制御命令は一つしか送信されない。次にタッチデータ処理部３１から違う制御命令が命令処理部３２へ送信されるとき前回送信した制御命令はクリアされる。命令処理部３２ではタッチデータ処理部３１から受信した制御命令を、メモリ４０の対応する制御命令格納場所４０ａ〜４０ｃなどに格納する。
【００６５】
例えばメモリ４０に格納された制御命令が増の場合、増ホールド回路４３は、図４に示すようなタイミングで増選択指令Ｃを成立させる。そして次のタッチパネル１２からの入力が減の場合、増ホールド回路４３は増選択指令Ｃを不成立にし、減ホールド回路４４は減選択指令Ｄを成立させる。また次のタッチ入力が高速の場合は増ホールド回路４３は増選択指令Ｃを不成立とはせず、高速ホールド回路４５は高速選択指令Ｅを成立させる。
【００６６】
また通常レートで調節計の値を増加させているときにメモリ４０に高速の制御命令が格納されると、図５に示すように、増ホールド回路４３が成立させている増選択指令Ｃの他に高速ホールド回路４５が高速選択指令Ｅを成立させる。増選択指令Ｃと高速選択指令Ｅが成立しているときに再び高速制御命令がメモリ１３に格納されると、増ホールド回路４３は増選択指令Ｃを成立させたままにするが、高速ホールド回路４５は高速選択指令Ｅを不成立にする。
【００６７】
さらに、タッチ選択が何も行われていない状態で高速をタッチすると、図６に示すように、高速ホールド回路４５は高速選択指令Ｅを成立させる。そして、再び高速がタッチされると、高速ホールド回路４５は高速選択指令Ｅを不成立にする。なお減と高速との組み合わせの場合は上記増を減と入れ替えることによって実現できる。いずれのホールド回路４３、４４、４５も、増／減／高速以外のタッチが行なわれると、それぞれ増選択指令Ｃ、減選択指令Ｄ、高速選択指令Ｅを不成立にする。
【００６８】
上記によりタッチ入力を行って指令が成立した後は、ハードスイッチ１３を押している期間その指令が実行される。例えば増選択指令Ｃが成立している場合、ハードスイッチ１３からの実行指令Ｆと増選択指令Ｃの論理積をとったものを増指令Ｇとして制御演算部２１へ送信する。減選択指令Ｄや高速選択指令Ｅも増選択指令Ｃと同様に、実行指令Ｆと論理積をとり、それぞれ減指令Ｈ、高速指令Ｉとして制御演算部２１へ送信する。
【００６９】
すなわち、ハードスイッチ１３の出力信号である実行指令Ｆと、増選択指令Ｃ、減選択指令Ｄ、高速選択指令Ｅの論理積をとった増指令Ｇ、減指令Ｈ、高速指令Ｉを制御演算部２１へ出力することにより、実行指令Ｆが成立している間、すなわちハードスイッチを押している間だけ増指令Ｇ、減指令Ｈ、高速指令Ｉが制御演算部２１へ出力され、調節計の増減ができる。
【００７０】
このように本実施例の調節計増減装置によれば、タッチパネル１２の複数のタッチエリア１２ａ、１２ｂ、１２ｃなどからの連続タッチ入力で、例えば増と高速あるいは減と高速などのように二つの命令を、組み合わせ（複合して）成立させることができる。
【００７１】
またユーザがタッチパネル１２で誤って高速指令などのレートを選択操作してしまった場合など、同じエリアを再度選択することにより高速解除回路４６により高速の選択指令が不成立になり高速レートが解除されるので、誤った選択が取り消され、その後、正しい選択を行うことにより、誤操作なく調節計の設定値の入力操作を行うことができる。
【００７２】
この他、例えば操作Ａの後の選択として、操作Ｂまたは操作Ｃが選択可能な場合、実際は操作Ｂを選択しなければならないが操作Ｃを選択してしまったとき、操作Ａは不成立とならず操作Ａと操作Ｃとが成立してしまうことになる。
【００７３】
そこで、操作Ｃを再度選択を行えば、操作Ｃは不成立となり、ここで改めて操作Ｂを選択することにより本来行うべき操作Ａと操作Ｂの選択が行えるようになる。
【００７４】
さらにタッチパネル１２とハードスイッチ１３とを併用したことにより、タッチパネル１２へのタッチで決定した指令（増指令、減指令、高速指令など）が、ハードスイッチ１３を押している間だけ制御演算部２１へ出力され、これにより調節計の値Ｋが増減されるので、従来のハードスイッチの操作性を大きく変えることなく、調節計の値の増減を容易に、かつ誤操作なく確実に行えるようになる。  また増制御命令、減制御命令、高速制御命令以外の命令が入力された場合は、いままで選択された指令が全て不成立となるので、命令が複合されることがなくなり、誤操作を防ぐことができる。
【００７５】
上記ハードスイッチ１３はタッチパネル１２と併用して指令を任意の時間成立させるといった動作の他に、タッチパネル１２によって選択された制御命令の最終的な実行指令を開始させる手段として用いることもできる。
【００７６】
例えばタッチ選択したものをそのまま操作指令として実行した場合、ユーザがタッチパネル１２を誤操作した時点で指令が実行されてしまい、原子力プラントなどの出力制御を行う場合、大変危険である。
【００７７】
そこで、タッチパネル１２とハードスイッチ１３とを併用すれば、タッチパネル１２で選択操作した時点で入力内容をすべて確認し、その後、ハードスイッチ１３を押すことにより最終的な調節計の値の増減を行うようにすれば、正しい指令を出力できる。
【００７８】
この結果、タッチパネル１２を利用する上で、従来のハードスイッチのみの場合と比較して操作性を大きく変えることなく、複数の指令を組み合わせ複合して調節計の値を増減することができる。
【００７９】
なお上述した実施例では増／減／高速などの三つの指令の制御に利用したが、本発明は上述した実施例以外にも一般的なタッチ操作にも適用できる。
【００８０】
すなわち、三つの命令を例えば操作Ａ、操作Ｂ、操作Ｃなどのように置き換え、ある制御装置を制御するために操作Ａ＋操作Ｂ、操作Ａ＋操作Ｃといったような二つの操作を行う。この二つの操作は誤操作を防ぐという目的で連続して行うことする。しかしタッチパネルの制約上、二つ指令は同時に成立させることはできないので、この場合も上記実施例同様にこの発明を適用することができる。
【００８１】
【発明の効果】
以上説明したように請求項１記載の発明によれば、タッチ入力手段から出力されたタッチデータを変換して制御命令とし、それを保持手段に所定期間保持しておき、その間に変換された制御命令と保持されている制御命令との二つ命令を成立させるので、従来のハードスイッチで行われていた同時押しと同じ制御ができるようになり、従来の場合と比較して操作性を大きく変えることなく、調節計の値を増減することができる。
【００８３】
さらに、請求項１記載の発明によれば、タッチパネルとハードスイッチとの併用によって、タッチパネルをタッチして作成した指令をハードスイッチを押して実行させることができるので、誤操作なく安全に調節計の値を増減することができる。
【００８４】
また、請求項２記載の発明によれば、作成された指令に基づいて調節計の増減値が演算され、その演算結果の増減値に応じて調節計の値が表示手段により表示されるので、ユーザは表示手段の値を見ながら、タッチパネルとハードスイッチとを併用して調節計の値を容易に増減できる。
【００８５】
以上により、従来の操作性を大きく変えることなくタッチパネルを利用して調節計を増減できるようになる。
【図面の簡単な説明】
【図１】本発明に係る一実施例の調節計増減装置の概要構成を示す図である。
【図２】この調節計増減装置の命令処理部の詳細構成を示す図である。
【図３】この調節計増減装置の動作を示すフローチャートである。
【図４】増／減指令が選択された場合のタイミングチャートである。
【図５】増／高速指令が選択された場合のタイミングチャートである。
【図６】高速指令が二度選択された場合のタイミングチャートである。
【図７】従来の調節計増減装置の構成を示す図である。
【符号の説明】
１０…コントロールパネル、１１…表示画面、１１ａ…目盛り、１１ｂ…バー、１２…タッチパネル、１３…ハードスイッチ、２１…制御演算部、２２…出力処理部、３０…入力処理部、３１…タッチデータ処理部、３２…命令処理部、３３、３４、３５…アンド回路。
【図１】
0003712441.tif 000002
【図２】
0003712441.tif 000003
【図３】
0003712441.tif 000004
【図４】
0003712441.tif 000005
【図５】
0003712441.tif 000006
【図６】
0003712441.tif 000007
【図７】
0003712441.tif 000008